(57)【特許請求の範囲】
【請求項１】
床面に設置された腰掛式便器本体と、前記腰掛式便器本体に水を供給する給水タンクとを備えた便器への止水栓取付構造において、
前記床面から立ち上げられた給水用配管と、
前記給水タンクに水を供給する第１の接続管と、
前記腰掛式便器本体の外部に設けられる他の水使用器具に水を供給する第２の接続管と、
前記腰掛式便器本体の側面から背面にかけ、前記腰掛式便器本体の内方に向けて形成された凹部と、
水平な平面状に形成された前記凹部を構成する底面上で、かつ、前記腰掛式便器本体の側方に偏寄した位置に設けられ、前記腰掛式便器本体内部に連通する開口と、
を備え、
前記給水タンクは、前記腰掛式便器本体のボウル部後方で、前記開口の真上に位置する前記腰掛式便器本体の上面端部に載置され、前記給水用配管が立ち上げられた箇所は、前記凹部が上方に位置するよう前記腰掛式便器本体で覆われるとともに、前記給水用配管が前記開口を挿通して前記凹部内に臨出するよう構成され、さらに、臨出した前記給水用配管に止水栓が接続され、前記腰掛式便器本体の側部で前記止水栓に分岐栓が接続されて、前記分岐栓より前記第１及び第２の接続管に給水するよう構成されたことを特徴とする便器への止水栓取付構造。
【発明の詳細な説明】
【０００１】
【発明の属する技術分野】
本件発明は、腰掛式便器等への止水栓取付構造に関するものである。
【０００２】
【従来の技術】
従来の腰掛式便器の設置は、図６に示すようにトイレ空間内において、止水栓２５は腰掛式便器２２の外部で、後壁あるいは床から立ち上げられた給水管２４と腰掛式便器２２の上部に設置された給水タンク２３に接続された接続管２６との間に配設され、設置現場において腰掛式便器設置２２後、給水管２４と止水栓２５を接続し、止水栓２５と給水タンク２３とを接続管２６にて連通連結することにより設置工事が完了することになる。
【０００３】
【発明が解決しようとする課題】
従来のトイレ空間内での止水栓の配設位置では、樹脂管の位置や腰掛式便器のタイプ違いにより、腰掛式便器の給水位置が決まっていないため、サイズ違いの配管部品を数多く揃える必要があり、在庫増、コスト高となっていた。
【０００４】
また、現場での組立作業工数の増加で施工負荷がかかり工期が長くなることや連結用の配管が露出しているため掃除が行い難く、便器周りをスッキリとした配管構成にすることが困難であった。
本発明では、上記課題を解決するためになされたもので、本発明の目的は、施工現場で、腰掛式便器の省施工化が図れ、かつ腰掛式便器周りがスッキリとした配管構成が実現できるトイレ空間を提供することにある。
【０００５】
【課題を解決するための手段】
上記のような課題を解決するために、請求項１記載の発明は、床面に設置された腰掛式便器本体と、前記腰掛式便器本体に水を供給する給水タンクとを備えた便器への止水栓取付構造において、前記床面から立ち上げられた給水用配管と、前記給水タンクに水を供給する第１の接続管と、前記腰掛式便器本体の外部に設けられる他の水使用器具に水を供給する第２の接続管と、前記腰掛式便器本体の側面から背面にかけ、前記腰掛式便器本体の内方に向けて形成された凹部と、水平な平面状に形成された前記凹部を構成する底面上で、かつ、前記腰掛式便器本体の側方に偏寄した位置に設けられ、前記腰掛式便器本体内部に連通する開口と、を備え、前記給水タンクは、前記腰掛式便器本体のボウル部後方で、前記開口の真上に位置する前記腰掛式便器本体の上面端部に載置され、前記給水用配管が立ち上げられた箇所は、前記凹部が上方に位置するよう前記腰掛式便器本体で覆われるとともに、前記給水用配管が前記開口を挿通して前記凹部内に臨出するよう構成され、さらに、臨出した前記給水用配管に止水栓が接続され、前記腰掛式便器本体の側部で前記止水栓に分岐栓が接続されて、前記分岐栓より前記第１及び第２の接続管に給水するよう構成された便器への止水栓取付構造とした。給水タンクは、腰掛式便器本体のボウル部後方で、開口の真上に位置する腰掛式便器本体の上面端部に載置され、給水用配管が立ち上げられた箇所は、凹部が上方に位置するよう腰掛式便器本体で覆われるとともに、給水用配管が開口を挿通して凹部内に臨出するよう構成され、さらに、臨出した給水用配管に止水栓が接続され、腰掛式便器本体の側部で止水栓に分岐栓が接続されて、分岐栓より前記第１及び第２の接続管に給水するよう構成されたため、意匠性、清掃性及び作業性が高いトイレ空間となる。
【００１０】
【発明の実施の形態】
以下に、本発明の実施例について図面を参照しながら具体的に説明する。
図１は、本件発明の第１実施例に係る全体斜視図。図２は本件発明の第１実施例に係る便器底部の部分断面及び接続金具の正面図。図３は本件発明の第２実施例に係る全体斜視図。図４は本件発明の第３実施例に係る全体斜視図。図５は本件発明の第３実施例に係る全体斜視図である。
【００１１】
図１において、便器本体１上面端部には給水タンク２が載置されており、便器本体１の背部に床面３から立ち上げられた樹脂管４に止水栓５が連通連結されている。さらに、止水栓５にはカプラ８ａと分岐金具６を介して給水タンク２へ水を供給する接続管７が連通連結され、他の水使用器具、例えば温水洗浄便座（図示せず）へ給水するためのカプラ８ｂを接続固定している。
【００１２】
便器本体１への止水栓５の具体的な固定方法を図２を用いて説明する。
(1)  便器本体１と給水タンク２の間に固定プレート９を固定する。
(2)  固定プレート９の開口部１１に継手ホルダ１０の嵌合部１２を挿入し、固定プレート９に継手ホルダ１０を係止する。
(3)  床面３から立ち上がった樹脂管４に樹脂管ガイド１３を挿通し、樹脂管ガイド１３の雄ねじ加工した上端部を、便器本体１の下部に配置された排水ソケット１４の上端開口部に嵌合する。樹脂管４は可撓性のものが望ましい。
(4)  便器本体１のはかま部１５の上面開口部から内部に雌ねじ加工した樹脂管取付フランジ１５を相通し、樹脂管ガイド１３の雄ねじと嵌合させ、便器本体に樹脂管４を固定支持する。
(5)  継手１７に樹脂管４の先端部を挿通する。
(6)  継手１７の一方の挿通部に止水栓５の開口部を挿入し、継手１７と止水栓５をクイックファスナー１８で固定しお互いを連通連結する。
(7)  継手１７の外周を継手ホルダ１０に嵌合保持する。
(8)  止水栓５にカプラ８ａおよび分岐金具６、カプラ８ｂを固定する。
(9)  分岐金具６に接続管７を接続し、接続管７の端部を給水タンク２の接続部（図示せず）と嵌合する。
上述のような手順で、便器本体１への止水栓５の取付が完了するのである。
なお、継手ホルダ１０は継手１７を保持できる構造のものであれば、如何なる構造のものでもよいが、本実施例では円筒部を開閉自在に構成したラチェットロック機構を採用している。
【００１３】
図３は本件発明の第２実施例に係る全体斜視図である。第１実施例である図１と構成が同じ部分については同符号を付し、説明を省略する。
この本件発明の第２実施例において、第１実施例と異なる点は、分岐金具６から接続管１９を介して他の水使用器具、例えば温水洗浄便座等へ給水する機能コンセント２０を便器本体１に設置したことである。
【００１４】
この機能コンセント２０はボックス型に形成し、２個のカプラをボックス前面に露出させている。この機能コンセント２０を便器本体１の側面に設置したことにより、後付け機器を設置する場合、給水口施工の心配がなくなるのである。
また、後付け機器とは、温水洗浄便座の他に、トイレ内を洗浄するためのシャワー金具等を指すのである。
【００１５】
次に本件発明の第３実施例として図４をもとに説明する。
第２実施例の場合と同様に、第１実施例である図１と構成が同じ部分については同符号を付し、説明を省略する。
第３実施例では機能コンセント２０を給水タンク２の側面に取り付けたことに特徴を有する。つまり止水栓５に取り付けられたカプラ８ａに接続管７を連通連結し、給水タンク２内で接続管７に分岐金具２１を接続している。
この分岐金具２１から接続管を介して給水タンク２に取り付けられた機能コンセント２０を接続しているのである。
機能コンセントは、第２実施例の場合と同様にボックス型で２口としているが、形状および口数はこれに限定されるものではなく、例えば、給水ボックス２の異なる側面あるいは上面に設置することも可能である。
【００１６】
次に本件発明の第４実施例として図５をもとに説明する。
第３実施例の場合と同様に、第１実施例である図１と構成が同じ部分については同符号を付し、説明を省略する。
第４実施例の場合、便器本体１の下部に樹脂管４を挿通する開口部（図示せず）にフランジ２７を固定し、さらにフランジ２７にナット２８を固定する。次に樹脂管４の先端に止水栓５を接続し、ナット２８内に嵌合させるのである。また、止水栓５とナット２８とはクイックファスナー１８で連通連結されている。図中、２９は止水栓５に取り付けられた開閉ハンドルである。
【００１７】
図１から図５を用いて便器への止水栓取付構造を説明したが、何れの実施例においても、便器本体１の下部に樹脂管４を挿通する開口部を設け、止水栓５を便器本体１の外周面に具備することができる。そのため、トイレ空間内に余分な配管が無くなるため、スッキリとしたトイレ空間を提供できるのである。
【００１８】
【発明の効果】
本発明は、以上に説明したような形態で実施され、以下に記載されるような効果を奏する。
すなわち、請求項1に係る発明では、床面に設置された腰掛式便器本体と、前記腰掛式便器本体に水を供給する給水タンクとを備えた便器への止水栓取付構造において、前記床面から立ち上げられた給水用配管と、前記給水タンクに水を供給する第１の接続管と、前記腰掛式便器本体の外部に設けられる他の水使用器具に水を供給する第２の接続管と、前記腰掛式便器本体の側面から背面にかけ、前記腰掛式便器本体の内方に向けて形成された凹部と、水平な平面状に形成された前記凹部を構成する底面上で、かつ、前記腰掛式便器本体の側方に偏寄した位置に設けられ、前記腰掛式便器本体内部に連通する開口と、を備え、前記給水タンクは、前記腰掛式便器本体のボウル部後方で、前記開口の真上に位置する前記腰掛式便器本体の上面端部に載置され、前記給水用配管が立ち上げられた箇所は、前記凹部が上方に位置するよう前記腰掛式便器本体で覆われるとともに、前記給水用配管が前記開口を挿通して前記凹部内に臨出するよう構成され、さらに、臨出した前記給水用配管に止水栓が接続され、前記腰掛式便器本体の側部で前記止水栓に分岐栓が接続されて、前記分岐栓より前記第１及び第２の接続管に給水するよう構成された便器への止水栓取付構造とした。給水タンクは、腰掛式便器本体のボウル部後方で、開口の真上に位置する腰掛式便器本体の上面端部に載置され、給水用配管が立ち上げられた箇所は、凹部が上方に位置するよう腰掛式便器本体で覆われるとともに、給水用配管が開口を挿通して凹部内に臨出するよう構成され、さらに、臨出した給水用配管に止水栓が接続され、腰掛式便器本体の側部で止水栓に分岐栓が接続されて、分岐栓より前記第１及び第２の接続管に給水するよう構成されたため、意匠性、清掃性及び作業性が高いトイレ空間となる。
【図面の簡単な説明】
【図１】本件発明の第１実施例に係る全体斜視図。
【図２】本件発明の第１実施例に係る便器底部の部分断面及び接続金具の正面図。
【図３】本件発明の第２実施例に係る全体斜視図。
【図４】本件発明の第３実施例に係る全体斜視図。
【図５】本件発明の第４実施例に係る全体斜視図。
【図６】従来品の正面図。
【符号の説明】
１  便器本体
２  給水タンク
３  床面
４  樹脂管
５  止水栓
６  分岐金具
７  接続管
８ａ、８ｂ  カプラ
９  固定プレート
１０  継手ホルダ
１５  はかま部
２０  機能コンセント
【図１】
0003823735.tif 000002
【図２】
0003823735.tif 000003
【図３】
0003823735.tif 000004
【図４】
0003823735.tif 000005
【図５】
0003823735.tif 000006
【図６】
0003823735.tif 000007